(57)【要約】【課題】検査台に簡単に載置でき、右足でも左足でも容易に被検者の大腿部と脹脛（ふくらはぎ）部を所定角度で且つ角度変更可能に保持できること。【解決手段】支持部11とこの支持部11から上方に延長する大腿部保持部12とこの大腿部保持部12の先端部に連結された脹脛部支持部13とからなる。大腿部保持部12は傾斜角度を変更でき且つその長さを調整できる。脹脛部支持部13は大腿部保持部12の先端部でその連結角度を変更できる。大腿部保持部12は支持部11から延長する上向き管体14とこの上向き管体14の幅方向に設けられる枠体15から成る。脹脛部支持部13は大腿部保持部12に連結する下向き管体16とこの下向き管体16の幅方向に設けられた枠体17からなる。上向き管体14と下向き管体16の角度を指示する角度目盛板26と指針25を設ける。それぞれの管体に設けられた枠体の幅方向のフレームにクッション部材20を巻回する。【選択図】図１
2011101662.tif 000002
【特許請求の範囲】
【請求項１】
支持部(11)と、この支持部(11)から上方に延長する大腿部保持部(12)と、この大腿部保持部(12)の先端部に連結された脹脛部支持部(13)とから成り、
大腿部保持部(12)は、支持部(11)に対する傾斜角度を変更可能に固定でき、且つその長さを長短自在に調整することができ、
脹脛部支持部(13)は、大腿部保持部(12)の先端部でその連結角度を変更可能に固定でき、
前記大腿部保持部(12)と脹脛部支持部(13)の角度を適宜変更して、被検者の大腿部を前記大腿部保持部(12)に保持させ、被検者の脹脛部を脹脛部支持部(13)に載置させた状態で、膝関節の撮像を行うことができる膝関節撮像用架台。
【請求項２】
大腿部保持部(12)が支持部(11)から延長する上向き管体(14)と、この上向き管体(14)の幅方向に設けられる枠体(15)とから構成され、この枠体(15)上に被検者の大腿部を保持でき、
脹脛部支持部(13)が前記大腿部保持部(12)に連結する下向き管体(16)と、この下向き管体(16)の幅方向に設けられた枠体(17)とから構成され、この枠体(17)上に被検者の脹脛部を載置でき、
前記上向き管体(14)と下向き管体(16)の内角部に、それぞれの管体(14, 16)に略平行な腕部(21, 22)を設けてそれぞれの連結部を軸着してリンク機構を形成し、
前記リンク機構において、上向き管体(14)と下向き管体(16)に平行な腕部(22)との連結部に角度目盛(26)を設け、且つ下向き管体(16)に平行な腕部(22)の上向き管体(14)側の端部を延長させて、これを指針(25)とし、この指針(25)で前記角度目盛(26)を読み取り、上向き管体(14)と下向き管体(16)の成す角度を確認できることを特徴とする請求項１に記載の膝関節撮像用架台。
【請求項３】
上向き管体(14)及び下向き管体(16)に設けられたそれぞれの枠体(15, 17)において、幅方向に配設されたフレーム(15h, 15h, 17h, 17h)にクッション部材(20)を巻回したことを特徴とする請求項２に記載の膝関節撮像用架台。
【請求項４】
支持部(11)を平面視略矩形形状の枠体部材から形成し、大腿部保持部(12)の上向き管体(14)を前記枠部材の１つのコーナー部に着脱自在に設け、
前記上向き管体(14)を前記コーナー部と幅方向に対向する他のコーナー部にも着脱自在に取り付けることができるようにしたことを特徴とする請求項２又は３に記載の膝関節撮像用架台。
【請求項５】
大腿部保持部(12)に被検者の大腿部を縛り付けるためのベルト部材を少なくとも１本設け、ベルト部材の両端部には相互に着脱可能な面ファスナー等の係着部材を設け、被検者の大腿部を大腿部保持部(12)に固定できるようにしたことを特徴とする請求項１乃至４の何れか１項に記載の膝関節撮像用架台。
【発明の詳細な説明】
【技術分野】
【０００１】
本発明は、膝人工関節の置換手術後の経過を検査するための画像（レントゲンイメージ）撮影を行う際に使用するために開発された架台に関するものであるが、膝関節の一般撮像用の架台として使用できるものに関する。
【背景技術】
【０００２】
末期の変形性膝関節症では高度な内反変形や関節周囲の軟部組織の拘縮を来たす頻度が多く、その治療法として膝人工関節置換手術が行われる。
この手術においては、骨切りに加え、靭帯・筋肉・関節包などの軟部組織の剥離・切除等の処理が同時に行われる。
その際に、正常な膝関節と同様の軟部組織のバランスを再獲得することが、術後の膝関節の機能や人工関節の寿命に重要であることが報告されている。
【０００３】
しかしながら、術後の定量的な膝関節の軟部組織のバランス評価法については未だ確立されていないのが現状である。
このような状況の下、上記のような評価方法を確立するために、術後のレントゲンイメージングによる動態解析が必要となる。
この動態解析或いはバランス評価に際して、画像撮影を行うときに膝人工関節置換手術後の下肢部を支持する架台というものが必要となるが、現在のところこの種の架台は全く創案されていないのが実情である。
【０００４】
従来の技術としては下記特許文献に記載のものがあるが、下記特許文献１には、「医療用膝置き台」が開示されている。
この膝置き台は、膝部の診察や治療に際してＸ線の透過を阻止したり、不要な反射を起こすことがなく、良好なＸ線透過映像を撮影することができるものである。
その構成は、医療用ベッドに取り付けるものであって、第一の棒状部と第二の棒状部とを略直角に連結固定したもので、炭素繊維強化プラスチックを素材とするものである。
【０００５】
下記特許文献２に記載の「医療用下腿保持装置」は、治療時に膝下下肢部を安定状態に保つことができるように、膝下下肢部を略水平に保持できる支持台を有し、その略水平状態で支持台の上下の高さを調整することができる駆動手段を有するものである。
下記特許文献３に記載の「ＭＲＩ用膝関節固定具」は、ＭＲＩ装置を用いて膝関節の屈曲角度を変えながらシネ画像を撮影する際に、膝関節を固定する保持装置である。
その要旨とするところは、被検者の膝関節をターンテーブルに固定し、このターンテーブルを超音波モータにて回転させることにより膝関節の屈曲角度を調整するものである。
【先行技術文献】
【特許文献】
【０００６】
【特許文献１】特開２００６−６５８４号公報
【特許文献２】特開２００２−２５３５８７号公報
【特許文献３】特開平７−１９４５６９号公報
【発明の概要】
【発明が解決しようとする課題】
【０００７】
まず、本発明においては、上記従来の器具又は装置とは、その具体的な目的とするところが異なるものである。
即ち、特許文献１の発明では、膝部のレントゲン撮影を行う際に、膝置き台自体がＸ線の透過を妨げたり、反射をしないことを目的として創案されたものである。
特許文献２の発明では、これは治療用の保持装置に関するものである。
そして、特許文献３の発明は、広い意味では本発明と同じ目的ではあるが、膝部の屈曲角度を変えてシネ画像を撮影するために使用するものである。
【０００８】
他方、本発明の目的は、膝人工関節置換手術後に、その術後の動態解析を行うために使用する架台であって、より詳しくは、膝部を所定の角度に屈曲させたままの状態で、膝部の外反又は内反の動揺性を検査するために、例えば足首部等を左又は右の横方向に引っ張って、その引張り荷重を測定して、膝関節機能の評価をするために使用する器具を創案することであり、同時に膝関節の一般的な撮像用にも使用できるものを開発することである。
そして、この検査は、膝の屈曲角度を適宜変更して行われるものなのである。
【０００９】
そこで、本発明の第一の課題とするところは、先ず検査台となる寝台等に簡単に載置でき、右足でも左足でも容易に、この架台に被検者の大腿部と脹脛（ふくらはぎ）部を所定角度で且つ角度変更可能に保持又は載置できるものを提供することである。
また、大腿部の長さは、被検者により異なるために、大腿部を保持する部分はその長さを調整できることもその課題となる。
本発明の検査においては、膝人工関節の屈曲角度は、適宜変更することが必要なために、その屈曲角度も略３０度から１２０度程度の範囲内で調整を可能とすることもその課題となる。
更には、架台のフレームに載置する被検者の下肢部が、その載置の際に下肢部の接触部に痛み等が生じないような手段を講じることも本発明の課題となる。
【課題を解決するための手段】
【００１０】
上記課題を解決するために、本発明の第１のものは、支持部と、この支持部から上方に延長する大腿部保持部と、この大腿部保持部の先端部に連結された脹脛部支持部とから成り、大腿部保持部は、支持部に対する傾斜角度を変更可能に固定でき、且つその長さを長短自在に調整することができ、脹脛部支持部は、大腿部保持部の先端部でその連結角度を変更可能に固定でき、前記大腿部保持部と脹脛部支持部の角度を適宜変更して、被検者の大腿部を前記大腿部保持部に保持させ、被検者の脹脛部を脹脛部支持部に載置させた状態で、膝関節の撮像を行うことができる膝関節撮像用架台である。
【００１１】
本発明の第２のものは、上記第１の発明において、大腿部保持部が支持部から延長する上向き管体と、この上向き管体の幅方向に設けられる枠体とから構成され、この枠体上に被検者の大腿部を保持でき、脹脛部支持部が前記大腿部保持部に連結する下向き管体と、この下向き管体の幅方向に設けられた枠体とから構成され、この枠体上に被検者の脹脛部を載置でき、前記上向き管体と下向き管体の内角部に、それぞれの管体に略平行な腕部を設けてそれぞれの連結部を軸着してリンク機構を形成し、前記リンク機構において、上向き管体と下向き管体に平行な腕部との連結部に角度目盛を設け、且つ下向き管体に平行な腕部の上向き管体側の端部を延長させて、これを指針とし、この指針で前記角度目盛を読み取り、上向き管体と下向き管体の成す角度を確認できることを特徴とする膝関節撮像用架台である。
ここで、「幅方向」というのは、上向き管体及び下向き管体の長手方向と略直交する方向を意味する（以下同じである。）。
【００１２】
本発明の第３のものは、上記第２の発明において、上向き管体及び下向き管体に設けられたそれぞれの枠体において、幅方向に配設されたフレームにクッション部材を巻回したことを特徴とする膝関節撮像用架台である。
【００１３】
本発明の第４のものは、上記第２又は第３の発明において、支持部を平面視略矩形形状の枠体部材から形成し、大腿部保持部の上向き管体を前記枠部材の１つのコーナー部に着脱自在に設け、前記上向き管体を前記コーナー部と幅方向に対向する他のコーナー部にも着脱自在に取り付けることができるようにしたことを特徴とする膝関節撮像用架台である。
【００１４】
本発明の第５のものは、上記それぞれの発明において、大腿部保持部に被検者の大腿部を縛り付けるためのベルト部材を少なくとも１本設け、ベルト部材の両端部には相互に着脱可能な面ファスナー等の係着部材を設け、被検者の大腿部を大腿部保持部に固定できるようにしたことを特徴とする膝関節撮像用架台である。
【発明の効果】
【００１５】
本発明の第１のものにおいては、まず所定角度の屈曲角度において膝関節を保持することができる。
これにより、膝人工関節の良好な動態解析が可能となるのである。即ち、膝部には横方向の荷重が掛かっていない状態で、左右横方向の内反又は外反の動揺性（内外反動揺性）の荷重を測定することが可能となり、しかも、膝部のそれぞれの異なる屈曲角度においてその測定を行うことが可能となるのである。
勿論、人工関節の検査でなく、手術前の膝関節の動態検査用等として本願発明の架台を使用することができることは言うまでもないことである（以下同様である。）。
また、大腿部保持部の長さも長短変更可能に構成しているために、被検者の大腿部の長さに適合できるようにしている。
【００１６】
本発明の第２のものにおいては、上記第１の発明と同様の効果を有するものであるが、大腿部保持部と脹脛部支持部のそれぞれの構成を更に限定して、それぞれ上向き管体と幅方向の枠体、下向き管体と幅方向の枠体とから構成したものである。
そして、この第２の発明においては、更に、上向き管体と下向き管体の内角部に、これらの管体に略平行な腕部を設けてリンク機構を形成し、上向き管体と下向き管体に略平行な腕部との連結部に角度目盛を設け、且つ下向き管体に平行な腕部の上向き管体側の端部を延長させてこれを指針とし、この指針で角度目盛を読み取り、膝部の屈曲角度を確認することができるようにしている。
これにより、所望の角度において内外反動揺性を測定及び検査することができることとなるのである。
【００１７】
本発明の第３のものにおいては、上向き管体及び下向き管体の幅方向に設けられたそれぞれの枠体において、幅方向に配設されたフレームにクッション部材を巻回したものである。この幅方向に配設されたフレームは、被検者の下肢部と交差する方向に配設されるフレームであるため、そのフレームにクッション部材を巻回したために、被検者の下肢部の下面のフレームに載置し、接触する部分に自重による痛み等が生じることが無くなるのである。
【００１８】
本発明の第４のものにおいては、上向き管体を略矩形形状の支持部の一つのコーナー部に着脱自在に設け、他のコーナー部にも着脱自在に取り付けることができるようにし、何れか一方のコーナー部に交換して取り付け可能としたものである。
この他のコーナー部というのは、一つのコーナー部と幅方向に対向するコーナー部であり、この他のコーナー部にも上向き管体、即ち大腿部保持部を付け替えることができることにより、右足又は左足の何れも保持し、載置することができることとなるのである。
【００１９】
勿論、この大腿部保持部を上記のように位置変更しなくとも、本発明に係る架台全体の検査台への載置位置を変更することにより右又は左の下肢部の何れをも保持し、載置することができるものである。
従って、この第４の発明は、大腿部保持部を支持部の一つのコーナー部のみでなく、対向する他のコーナー部にも変更して取り付けて実施することもできることを示す本発明の一つのバリエーションとなるものである。
但し、この場合には、大腿部保持部の取り付け位置を変更するという多少の手間も必要となる。
また、この場合には、支持されていない他方の下肢が支持部の上に位置して、これを押えつけることができるというメリットもある。
【００２０】
本発明の第５のものにおいては、大腿部保持部に少なくとも１本のベルト部材を設け、その両端部には着脱可能な面ファスナー等の係着部材を設けているために、被検者の大腿部を大腿部保持部に保持させて、これらベルト部材の両端部を係着して固定することにより、大腿部保持部に被検者の大腿部をしっかりと固定することができることとなる。
【図面の簡単な説明】
【００２１】
【図１】本発明の膝関節撮像用架台に係る第１の実施形態を示す斜視図である
【図２】本発明の膝関節撮像用架台に係る第２の実施形態を示す斜視図であって、上向き管体を上記第１の実施形態と反対側の支持部の長手方向枠体に取り付けたものである。
【図３】上記実施形態における角度目盛板の部分の要部拡大説明図である。
【発明を実施するための形態】
【００２２】
以下、添付の図面と共に本発明の実施形態について説明する。
図１は、本発明の膝関節撮像用架台に係る第１の実施形態を示す全体斜視図である。
本発明に係る膝関節撮像用架台１０は、平面視略矩形形状の枠体部材から構成された支持部１１と、支持部１１の一コーナー部に取り付けられる大腿部保持部１２と、この大腿部保持部１２に連結される脹脛部支持部１３とからなる。
【００２３】
支持部１１は、前記大腿部保持部１２及び脹脛部支持部１３が伸長する長手方向と平行に配設する長手方向枠体１１ａ、１１ａと、これと略直交する幅方向枠体１１ｂ、１１ｂとからなり、平面視略矩形形状を有している。
また、長手方向枠体１１ａは、大腿部保持部１２が連結される端部側が延長されている。この延長端部１１ｔに大腿部保持部１２の一方端部が固定されることとなる。
【００２４】
大腿部保持部１２は、支持部１１の長手方向枠体１１ａの前記延長端部１１ｔに取り付けられる上向き管体１４と、この上向き管体１４の幅方向に設けられた略コ字形状の枠体１５とから形成される。
この上向き管体１４及び枠体１５は、それぞれその長さを長短自在に変更することができる。
【００２５】
即ち、上向き管体１４は、金属製角型管体から成り、その下方に位置する管体下方部１４ｓがその上方に位置する管体上方部１４ｕの内部に嵌入することができるように形成されている。
同様に、幅方向に設けられた略コ字形状の枠体１５においては、これが丸パイプから形成され、その上向き管体１４と平行する部分で、その枠体下方部１５ｓがその枠体上方部１５ｕの内部に嵌入するように形成されている。
【００２６】
これにより、大腿部保持部１４はその長さを長短自在に変更することができる。
長さを変更した後は、螺子１９により締め付けて固定することができる。
この実施形態では、この変更長さを３５０ｍｍから４８０ｍｍの範囲に設定している。
従って、この上向き管体１４と枠体１５の長さを変更させることにより、被検者の大腿部の長さに適合させ、調整することができるのである。
【００２７】
尚、この実施形態では、上向き管体１４の幅方向に設けられている略コ字形状の枠体１５の幅方向フレームには、クッション部材２０、２０がそれぞれ巻回されている。
この実施形態では、ウレタンフォームの外周にＰＶＣシートを被覆したものを使用しているが、このクッション部材の素材等は全く自由に設計変更可能である。
また、上向き管体１４は、支持部１１の長手方向枠体１１ａの延長端部１１ｔに螺子によって固定されるが、その上向き管体１４と長手方向枠体１１ａとの成す角度を変更して固定することができる。
この実施形態では、ほぼ０度から略１８０度の範囲内で変更可能である。
【００２８】
次に、脹脛部支持部１３も、前記大腿部保持部１２とほぼ同様の構成であるが、その長さは変更できないものである。
即ち、この脹脛部支持部１３は、前記大腿部保持部１２の上向き管体１４に連結する下向き管体１６と、その幅方向に設けられた略コ字形状の枠体１７とから形成され、この枠体１７の上に被検者の脹脛部が載置される。
枠体１７の幅方向のフレームには、前記大腿部保持部１２の枠体１５と同様のクッション部材２０、２０が巻回されている。
また、この下向き管体１６の一方端部は、前記上向き管体１４の先端部と螺子により連結され、両者の角度を変更可能に固定され得るものである。
【００２９】
更に、本実施形態においては、上記上向き管体１４と下向き管体１６との成す内角を正確に指示し、確認できるような手段を設けている。
即ち、下向き管体１６の略中央部から下方に腕部２１を設け、この腕部２１の先端部に更に腕部２２を軸着して、その腕部２２の先端部を上向き管体１４に軸着し、腕部２１を上向き管体１４に平行に、腕部２２を下向き管体１６に平行に配設して、リンク機構を形成させるのである。
【００３０】
そして、腕部２２の上向き管体１４側の先端部を延長して指針２５とし、その指針２５の対応する上向き管体１４の部位に角度目盛板２６を設けるのである。
これにより、上向き管体１４と下向き管体１６の連結部を回動させてその内角を変更すると、その内角の角度を指針２５が角度目盛板２６の目盛を読み取ることによって確認或いは確定することが可能となるのである。
この実施形態では、角度目盛板として分度器を利用しているが、上向き管体１４の手前側側面、つまり、指針の位置する部位に直接目盛りを刻印して実施することも可能である。
【００３１】
図２は、本発明の第２の実施形態を示しており、上向き管体を支持部の反対側の長手方向枠体に取り付けた状態を図示した斜視図である。上向き管体の取付位置以外は上記第１の実施形態と同様である。
但し、それぞれの管体に設けられた幅方向枠体の幅方向のフレームに巻回したクッション部材を省略して図示している。前記フレーム部の構成を明瞭にするためである。
このように、本発明に係る膝関節撮像用架台１０においては、その上向き管体１４の基端部を支持部１１と着脱自在に構成して、この上向き管体１４を支持部１１から取り外し、幅方向に対向する他方の長手方向枠体１１ａの延長端部１１ｔに付け替えて、固定することもできるのである。
勿論、本発明では、図１に示した通り、上向き管体１４の取付位置が変更できないタイプのものであってもよい。
【００３２】
この第２の実施形態においても、上向き管体１４の起立角度は変更可能であり、また上向き管体１４と下向き管体１６との成す角度も適宜変更して固定することができる。
この図では、クッション部材の図示を省略しているために、それぞれの管体１４、１６の幅方向に形成されている略コ字形状の枠体１５、１７を明瞭に見て取ることができる。
この幅方向のフレーム１５ｈ、１５ｈ、１７ｈ、１７ｈに被検者の大腿部を保持し、また脹脛部を載置して支持することができるのである。
この図２に示した実施形態においても、上向き管体１４及び下向き管体１６との内角の角度は、指針２５によって角度目盛板２６の目盛りを読み取り確認することができる。
【００３３】
以上のように、本発明に係る上向き管体１４及び下向き管体１６は、支持部１１の長手方向枠体１１ａの手前側或いは向こう側に取り付けることができるのであるが、このように変更して取り付けることができるようにしたのは、図１に示した形態では、左下肢部を支持部の上に乗せつつ、右下肢部を大腿部保持部１２と脹脛部支持部１３とに保持し且つ支持するものとして使用し、他方、図２に示した形態においては、右下肢部を支持部１１の上に乗せた状態で、左下肢部を大腿部保持部１２と脹脛部支持部１３とに保持し且つ支持するものとして使用することができる。
【００３４】
つまり、このような位置関係にすることにより、被検者の検査測定する方の下肢と反対側の下肢を支持部に載置して固定（重し）手段とすることができるのである。
しかしながら、図１に図示した架台のまま、つまり、上向き管体の取付位置を変更せずとも、支持部１１を検査台上で横方向にずらして、このまま左下肢部を乗せることも可能であり、上記のように、検査しない側の下肢を支持部に載置して固定のために利用しなくとも十分に架台としてその機能を発揮することができるものである。
【００３５】
図３は、上記実施形態における角度目盛板の部分の要部拡大説明図である。
角度目盛板２６は、金属製の分度器を利用しており、その角度目盛板２６の中心部で腕部２２の一方端が軸着され、腕部２２のその一方端が延長されて指針２５が形成されているものである。
指針２５は、腕部２２の延長部を切り欠いて形成したものであり、その先端部が徐々に細くなるように形成されている。
【００３６】
そして、指針２５の先端部２５ｔは、角度目盛板２６の外周縁に沿うように周方向に折曲して、その先端部２５ｔの中央部に刻印２５ｋが設けられている。この刻印２５ｋは、腕部２２の長手方向の中心線上に位置する。
これにより、指針２５の刻印２５ｋによって、角度目盛板２６の角度目盛２６ｍを読み取ることができ、この角度が上向き管体１４と下向き管体１６の成す角度を示し、それ故、大腿部保持部と脹脛部支持部との成す角度を正確に指示することとなるのである。
尚、前記した通り、この角度目盛板２６の角度目盛２６ｍは、上向き管体１４の対応する側面に直接刻印することも可能である。
【００３７】
次に、本発明に係る架台の使用方法の一例を示す。
先ず、寝台等の検査台の上に例えば図１に示す本発明に係る架台を載置する。
検査台のその適宜位置というのは、被検者が検査台に仰向けに横たわった状態で、検査される側の下肢部が位置する位置である。
次に、被検者の大腿部の長さに適合させるように上向き管体の長さを調整して固定する。
更に、上向き管体と下向き管体との成す角度が所望の角度になるように、両者の連結部の螺子を緩めて回動させ、角度目盛板の指針を確認しながら設定し、前記螺子を締め付ける。
【００３８】
この状態で架台の使用が可能となり、被検者がその右下肢部を架台に載置する。即ち、大腿部保持部に被検者の大腿部を沿わせて保持させ、被検者の脹脛部を脹脛部支持部の上に載置するのである。
この状態において、適宜必要な方向から撮影を行う。
特に、膝人工関節置換手術後の動態検査においては、上記の状態において、例えば足首部に横方向に適宜荷重を付加した状態で、内反及び外反の動揺性を評価するために、その状態の動画撮影を行うのである。
そして、以上の手順による検査を、膝関節の屈曲角度を適宜変更して、繰り返し画像撮影を行うのである。
尚、上記実施形態では、膝関節の屈曲角度を変更する際に、上向き管体と下向き管体を螺子により締着する構成としているが、手前側のナットを緩め或いは締め付ける動作のみでその両者の角度を変更できる構成を採用している。
【００３９】
以上、本発明の実施形態について説明したが、本発明においては以下の通り種々設計変更が可能である。
支持部の形状、大きさ等は種々設計変更可能であり、上記実施形態のように枠体部材によって略矩形形状に構成しなくとも実施可能である。
即ち、平面的な板状体であってもよく、その平面視形状も自由に変更可能である。
要するに、寝台等の検査台の上に載置でき、検査する側の大腿部保持部及び脹脛部支持部を支持できるものであればよいのである。
【００４０】
また、支持部から上方に延長する大腿部保持部は、その支持部の何れの部分から上方に延長してもよい。
上記実施形態では、支持部の一コーナー部分から上方に延長させているが、これを、例えば平面視略矩形形状の支持部であれば、その一側辺の、例えば図１における左側の幅方向枠体１１ｂの中間部から上方に延長するように形成することも可能である。
このように構成すると、何れの側の下肢部を検査するにしても、検査されない側の下肢部が支持部の上に載置されることとなり、本発明に係る架台を固定する役目を果たすこともできるのである。
【００４１】
大腿部保持部及び脹脛部支持部の構成も、上記実施形態では、管体と幅方向の略コ字形状の枠体から形成したが、この構成も自由に設計変更が可能である。
幅方向の略コ字形状の枠体も、それぞれの管体についてその幅方向のフレームを３つ以上設けることも自由であり、幅方向の枠体の構成は任意に設計変更することができる。
要するに、被検者の大腿部を保持でき且つ被検者の脹脛部を支持できる形態のものであれば、どのような形態のものであってもよいのである。
【００４２】
大腿部保持部には、最低１箇所にバンド部材を付加して、被検者の大腿部を固定できるようにすることもできる。好ましくは、大腿部保持部の根元側と先端側の２箇所にベルト部材を設けることが望ましい。
つまり、図１において、上向き管体１４と枠体１５（１５ｓ又は１５ｕ）に合成樹脂素材からなるベルト部材を設け、これらのベルト部材の先端部対応位置にはそれぞれ相互に係着する面ファスナー等の係着部材を設けて着脱自在とし、被検者の大腿部を取り囲むようにして両先端部を係着する事により、被検者の大腿部を大腿部保持部に簡単にしかも確実に固定させることができることとなる。
【００４３】
ベルト部材の両先端部の係着部材としては、相互に着脱可能な雌雄合体形式のブラスチック製ワンタッチ式のバックルを使用してもよい。
また、ベルト部材は、上向き管体１４にその一端部を固定し、他端部を直接枠体１５に固定できるように構成することもできる。この場合には、その枠体１５の側に係着部材の他方を直接取り付けておけばよい。
これにより大腿部が大腿部保持部にしっかりと固定され、この状態で被検者の膝部を撮影して、その動態解析を極めて良好に行う事ができることとなる。
【００４４】
幅方向の枠体の幅方向のフレームに巻回するクッション部材も、これを設けずに実施することもできるが、被検者の下肢部の架台との接触部に痛み等が生じないようにクッション部材を設けて実施した方が好ましい。
尚、本発明に係る架台の素材は、クッション部材を除き、ステンレススチール製であるが、その素材も適宜必要に応じて変更することができる。
【００４５】
以上、本発明は、必要最小限度の簡易な金属管体等を利用した簡易な構成からなるものであるが、全くこれまでに存在しなかったものであり、これにより膝人工関節或いは膝関節の動態解析を行うための画像撮影用の架台として最適なものを提供することができた。
【符号の説明】
【００４６】
１０  膝関節撮像用架台
１１  支持部
１２  大腿部保持部
１３  脹脛部支持部
１４  上向き管体
１５、１７  枠体
１６  下向き管体
２１、２２  腕部
２５  指針
２６  角度目盛板
【図１】
2011101662.tif 000003
【図２】
2011101662.tif 000004
【図３】
2011101662.tif 000005